(57)【特許請求の範囲】
【請求項１】
コンテンツを再生する音量を決定する音量決定手段と、
前記コンテンツに関連する映像を表示する第１表示手段と、
ユーザからの操作を受け付ける第１操作受付手段と、
前記第１操作受付手段により受け付けられる操作の内容に従って、前記音量決定手段と、前記第１表示手段とを制御する制御手段と、
を備え、
前記制御手段は、
前記第１操作受付手段が受け付ける操作を行うユーザが、前記コンテンツの再生を要求する第１ユーザであるのか、または第１ユーザ以外の第２ユーザであるのかを判断する第１処理と、
音量を変更する前記第２ユーザの操作に関連する変更情報を前記第１表示手段に表示することを禁止する第２処理と、
前記第１操作受付手段により受け付けられる操作の内容に従う音量の変更量を複数回に分け、分けられた変更量で間隔を置いて音量を前記音量決定手段に決定させる第３処理と、を実行し、
前記第２処理と前記第３処理とは、前記第１操作受付手段が音量を変更する操作を受け付け、且つ、前記第１処理により前記第１操作受付手段が受け付ける操作を行うユーザが前記第２ユーザであると判断された場合、実行される
ことを特徴とするカラオケ装置。
【請求項２】
前記制御手段は、
前記第１操作受付手段により受け付けられる操作の内容に従う音量の正規変更量が、前記音量決定手段により現在決定されている音量に基づいて決められる弁別閾が示す値を超えるか否かを判断する第７処理と、
前記第７処理が超えると判断した場合、前記弁別閾が示す値以下の暫定変更量を決定し、その暫定変更量で前記音量決定手段に音量を決定させる第８処理と、を実行し、
前記第３処理は、前記正規変更量まで音量が変更されるまで前記第８処理を繰り返し実行し、前記暫定変更量で分けられた変更量で所定の期間ごとに音量を前記音量決定手段に決定させることを特徴とする請求項１に記載のカラオケ装置。
【請求項３】
前記弁別閾が示す値は、前記音量決定手段により現在決定されている音量の８．８％未満の値であり、前記所定の期間は５秒以上であることを特徴とする請求項２に記載のカラオケ装置。
【請求項４】
ユーザからの操作を受け付ける第２操作受付手段と、前記第２操作受付手段により受け付けられる操作の内容に従って映像を表示する第２表示手段と、第２通信手段と、端末制御手段とを備えるリモコン端末と、
前記第２通信手段と情報の送受信を行う第１通信手段と、を備え、
前記第２通信手段は、
前記第２操作受付手段が受け付ける操作を行うユーザのユーザ識別情報と、操作の内容とを含む操作情報を前記第１通信手段に送り、
前記制御手段は、
前記第１通信手段が受信した前記操作情報に従って、前記第２操作受付手段が受け付ける操作を行うユーザが、前記第１ユーザ以外の第２ユーザであるのか否かを判断する第４処理と、
音量を変更する前記第２ユーザの操作に関連する前記変更情報を前記第１通信手段に送信させる第５処理と、を実行し、
前記第２処理と前記第３処理と前記第５処理とは、前記第４処理により前記第２操作受付手段が受け付ける操作を行うユーザが前記第２ユーザであると判断された場合、実行され、
前記端末制御手段は、
前記第５処理により送られた前記変更情報に従って、前記第２表示手段に表示される映像を更新する第６処理を実行する
ことを特徴とする請求項１から請求項３に記載のカラオケ装置。
【請求項５】
コンテンツを再生する音量を決定する音量決定手段と、前記コンテンツに関連する映像を表示する第１表示手段と、ユーザからの操作を受け付ける第１操作受付手段と、を備えるカラオケ装置のコンピュータに、
前記第１操作受付手段が受け付ける操作を行うユーザが、前記コンテンツの再生を要求する第１ユーザであるのか、または第１ユーザ以外の第２ユーザであるのかを判断する第１ステップと、
音量を変更する前記第２ユーザの操作に関連する変更情報を前記第１表示手段に表示することを禁止する第２ステップと、
前記第１操作受付手段により受け付けられる操作の内容に従う音量の変更量を複数回に分け、分けられた変更量で間隔を置いて音量を前記音量決定手段に決定させる第３ステップと、を実行させ、
前記第２ステップと前記第３ステップとは、前記第１操作受付手段が音量を変更する操作を受け付け、且つ、前記第１ステップにより前記第１操作受付手段が受け付ける操作を行うユーザが前記第２ユーザであると判断された場合、実行されることを特徴とする音量調整プログラム。
【発明の詳細な説明】
【技術分野】
【０００１】
本発明は、複数の利用者によって同時に利用されるカラオケ装置の音量調整に関する。
【背景技術】
【０００２】
従来、カラオケ装置は、音量を調整するユーザの操作を受け付けると、その操作の内容に従って音量を調整し、指示の内容や調整結果などをモニタに表示させる。一例として、特許文献１に記載の表示装置は、音量が変更されたことをユーザに適切に通知する。特許文献２に記載の楽音パラメータ制御装置は、再生する楽曲のテンポに合わせて、音量変更などのパラメータをなめらかに変更制御する。これにより、違和感なくパラメータを変更することができる。
【先行技術文献】
【特許文献】
【０００３】
【特許文献１】ＷＯ１５／１１４６９７号公報
【特許文献２】特開２００４−１３３０１０号公報
【発明の概要】
【発明が解決しようとする課題】
【０００４】
しかしながら、複数のユーザによって利用されるカラオケ装置の場合、再生されるコンテンツまたは歌唱を第１のユーザが楽しんでいる最中に、第２のユーザにより音量が変更されると、第１のユーザが望まない音量に変更されてしまうことが想定される。さらに、コンテンツまたは歌唱を楽しんでいる最中に第２のユーザが音量を勝手に変更することは、変更量に係らず第１のユーザにとって不快なことである。
【０００５】
具体的には、カラオケ装置では、歌唱者（第１のユーザに相当）が歌唱中のある時点において、聴取者（第２のユーザに相当）がカラオケ装置の音量を調整する場合がある。しかし、聴取者は、歌唱の邪魔になることを考えて、歌唱中の歌唱者に、音量を調整することの許可を求めないことがある。一例として、聴取者が、歌唱者の歌声が少し大きいと感じているときには、聴取者は、歌唱者の許可なくマイク音量を小さくする場合がある。この場合、歌唱者は自分の歌声が聞きづらくなり歌唱に支障を来す可能性がある。また、音量が変更されることにより歌唱しづらくならなかった場合でも、勝手に音量を変更されてしまうことは歌唱者にとって気分の良いものではない。そこで、歌唱者が気付かないように聴取者が音量を調整することができる仕組みがあれば、歌唱者も聴取者もカラオケを楽しむことができる。
【０００６】
そこで、本発明は上述した問題点を解決するためになされたものであり、音量を変更したユーザ以外のユーザが音量を変更したことに気付きにくいカラオケ装置を提供することを目的とする。
【課題を解決するための手段】
【０００７】
請求項１記載のカラオケ装置は、コンテンツを再生する音量を決定する音量決定手段と、前記コンテンツに関連する映像を表示する第１表示手段と、ユーザからの操作を受け付ける第１操作受付手段と、前記第１操作受付手段により受け付けられる操作の内容に従って、前記音量決定手段と、前記第１表示手段とを制御する制御手段と、を備え、前記制御手段は、前記第１操作受付手段が受け付ける操作を行うユーザが、前記コンテンツの再生を要求する第１ユーザであるのか、または第１ユーザ以外の第２ユーザであるのかを判断する第１処理と、音量を変更する前記第２ユーザの操作に関連する変更情報を前記第１表示手段に表示することを禁止する第２処理と、前記第１操作受付手段により受け付けられる操作の内容に従う音量の変更量を複数回に分け、分けられた変更量で間隔を置いてに音量を前記音量決定手段に決定させる第３処理と、を実行し、前記第２処理と前記第３処理とは、前記第１操作受付手段が音量を変更する操作を受け付け、且つ、前記第１処理により前記第１操作受付手段が受け付ける操作を行うユーザが前記第２ユーザであると判断された場合、実行されることを特徴とする。
【０００８】
請求項２記載のカラオケ装置は、ユーザの操作を受け付ける第２操作受付手段と、前記第２操作受付手段により受け付けられる操作の内容に従って映像を表示する第２表示手段と、第２通信手段と、端末制御手段とを備えるリモコン端末と、前記第２通信手段と情報の送受信を行う第１通信手段と、を備え、前記第２通信手段は、前記第２操作受付手段が受け付ける操作を行うユーザのユーザ識別情報と、操作の内容とを含む操作情報を前記第１通信手段に送り、前記制御手段は、前記第１通信手段が受信した前記操作情報に従って、前記第２操作受付手段が受け付ける操作を行うユーザが、前記第１ユーザ以外の第２ユーザであるのか否かを判断する第４処理と、音量を変更する前記第２ユーザの操作に関連する前記変更情報を前記第１通信手段に送信させる第５処理と、を実行し、前記第２処理と前記第３処理と前記第５処理とは、前記第４処理により前記第２操作受付手段が受け付ける操作を行うユーザが前記第２ユーザであると判断された場合、実行され、前記端末制御手段は、前記第５処理により送られた前記変更情報に従って、前記第２表示手段に表示される映像を更新する第６処理を実行することを特徴とする。
【０００９】
請求項３記載のカラオケ装置の制御手段は、前記第１操作受付手段または前記第２操作受付手段により受け付けられる操作の内容に従う音量の正規変更量が、前記音量決定手段により現在決定されている音量に基づいて決められる弁別閾が示す値を超えるか否かを判断する第７処理と、前記第７処理が超えると判断した場合、前記弁別閾が示す値以下の暫定変更量を決定し、その暫定変更量で前記音量決定手段に音量を決定させる第８処理と、を実行し、前記第３処理は、前記正規変更量まで音量が変更されるまで前記第８処理を繰り返し実行し、前記暫定変更量で分けられた変更量で所定の期間ごとに音量を前記音量決定手段に決定させることを特徴とする。
【００１０】
請求項４記載のカラオケ装置において、前記弁別閾が示す値は、前記音量決定手段により現在決定されている音量の８．８％未満の値であり、所定の期間は５秒以上であることを特徴とする。
【００１１】
請求項５記載の音量調整プログラムは、コンテンツを再生する音量を決定する音量決定手段と、前記コンテンツに関連する映像を表示する第１表示手段と、ユーザからの操作を受け付ける第１操作受付手段と、を備えるカラオケ装置のコンピュータに、前記第１操作受付手段が受け付ける操作を行うユーザが、前記コンテンツの再生を要求する第１ユーザであるのか、または第１ユーザ以外の第２ユーザであるのかを判断する第１ステップと、音量を変更する前記第２ユーザの操作に関連する変更情報を前記第１表示手段に表示することを禁止する第２ステップと、前記第１操作受付手段により受け付けられる操作の内容に従う音量の変更量を複数回に分け、分けられた変更量で所定の期間ごとに音量を前記音量決定手段に決定させる第３ステップと、を実行させ、前記第２ステップと前記第３ステップとは、前記第１操作受付手段が音量を変更する操作を受け付け、且つ、前記第１ステップにより前記第１操作受付手段が受け付ける操作を行うユーザが前記第２ユーザであると判断された場合、実行されることを特徴とする。
【発明の効果】
【００１２】
請求項１記載のカラオケ装置の制御手段は、第１操作受付手段が受け付ける操作を行うユーザが、コンテンツの再生を要求する第１ユーザであるのか、または第１ユーザ以外の第２ユーザであるのかを判断する第１処理と、音量を変更する第２ユーザの操作に関連する情報を第１表示手段に表示することを禁止する第２処理と、第１操作受付手段により受け付けられる操作の内容に従う音量の変更量を複数回に分け、分けられた変更量で所定の期間ごとに音量を音量決定手段に決定させる第３処理と、を実行し、第１操作受付手段が音量を変更する操作を受け付け、且つ、第１処理により第１操作受付手段が受け付ける操作を行うユーザが第２ユーザであると判断された場合、第２処理と第３処理とを実行する。これにより、音量が変更されたことが第１表示手段に表示されず、且つ、複数回に分けて音量が変更されるため第１ユーザは、第２ユーザにより音量が変更されたことに気付きにくくなる。
【００１３】
請求項２記載のカラオケ装置は、リモコン端末を備え、音量を変更する操作を受け付けたリモコン端末に音量が変更されたことを表示させる。これにより、音量を変更した第２ユーザは、音量を変更する操作の結果を知ることができる。しかし、第１ユーザは音量を変更したことに気付き感じにくくなる。
【００１４】
請求項３記載のカラオケ装置は、弁別閾が示す値以下の暫定変更量を決定し、その暫定変更量で前記音量決定手段に音量を決定させる処理を複数回繰り返す。これにより、第１ユーザは音量が変更されたことに一層気付きにくくなる。
【００１５】
請求項４記載のカラオケ装置の処理における弁別閾は、音量決定手段により現在決定されている音量の８．８％未満の値であり、所定の期間は５秒以上である。これにより、第１ユーザは音量が変更されたことに一層気付きにくくなる。
【００１６】
請求項４記載の音量調整プログラムは、第１操作受付手段が受け付ける操作を行うユーザが、コンテンツの再生を要求する第１ユーザであるのか、または第１ユーザ以外の第２ユーザであるのかを判断する第１ステップと、音量を変更する第２ユーザの操作に関連する情報を第１表示手段に表示することを禁止する第２ステップと、第１操作受付手段により受け付けられる操作の内容に従う音量の変更量を複数回に分け、分けられた変更量で所定の期間ごとに音量を音量決定手段に決定させる第３ステップと、を実行し、第１操作受付手段が音量を変更する操作を受け付け、且つ、第１ステップにより第１操作受付手段が受け付ける操作を行うユーザが第２ユーザであると判断された場合、第２ステップと第３ステップとを実行する。これにより、音量が変更されたことが第１表示手段に表示されず、且つ、複数回に分けて音量が変更されるため第１ユーザは、第２ユーザにより音量を変更されたことに気付きにくくなる。
【図面の簡単な説明】
【００１７】
【図１】本発明の一実施形態に係るカラオケ装置を表すブロック図である。
【図２】本実施形態においてリモコン端末の表示部に表示される表示例である。
【図３】楽曲再生装置の制御部と、リモコン端末の制御部とにより実行される音量変更処理を表すシーケンス図である。
【図４】第１変形例においてカラオケ装置の制御部と、リモコン端末の制御部とにより実行される音量変更処理を表すシーケンス図である。
【発明を実施するための形態】
【００１８】
以下、本発明の実施の形態について図面を参照して説明する。
【００１９】
［１、カラオケ装置の構成］
本実施形態のカラオケ装置について、図１を参照して説明する。図１はカラオケ装置の構成を示す。カラオケ装置は、楽曲再生装置１と、楽曲再生装置１と通信可能に対応付けられたリモコン端末２とを備える。
【００２０】
［１．１、楽曲再生装置の構成］
楽曲再生装置１は、カラオケを提供するための処理を実行する制御部１０を備える。制御部１０は、メモリ２０、記憶部３０、操作処理部４１、映像制御部５１、および、音響制御部６１と接続される。メモリ２０は、プログラムを記憶する記憶領域を備えるＲＯＭ、および、一時的に情報を記憶する記憶領域を備えるＲＡＭを備える。記憶部３０は、楽曲再生装置１において再生される楽曲の音を表すミュージック情報を複数記憶する。記憶部３０は、楽曲を再生する予約を受け付けた順番と共に、予約者のユーザ識別情報とミュージック情報とを対応付けた予約リストを記憶する。記憶部３０は、モニタ５２に表示するための歌詞テロップ、背景映像、および、グラフィックユーザインターフェイス（以下、ＧＵＩと記す。）を含む映像を表す映像情報を記憶する。記憶部３０は、楽曲再生装置１と通信可能なリモコン端末２のアドレス情報、および、利用しているユーザのログイン情報を記憶する。
【００２１】
操作処理部４１は、楽曲再生装置１に対する各種操作を行うための操作部４２に接続される。操作部４２は、楽曲再生装置１本体の外装パネルに配置された操作摘み部、および、タッチパネルにより構成される。操作部４２がユーザにより操作されると、操作の内容が操作処理部４１に送られる。操作処理部４１はユーザによる操作の内容を受け付け、操作の内容を表す電気信号を制御部１０に送る。
【００２２】
映像制御部５１は、楽曲再生装置１が出力する映像を表示するためのモニタ５２に接続される。モニタ５２は、制御部１０の指示により映像制御部５１から送られる映像情報が表す映像を表示する。一例として、モニタ５２は液晶パネルであって、映像制御部５１がモニタ５２に出力する歌詞テロップ、背景映像、および、ＧＵＩを表示する。
【００２３】
音響制御部６１は、歌唱用マイク６２およびスピーカ６３と接続される。歌唱用マイク６２は、アナログデジタル変換器を内蔵する。この変換器により、歌唱用マイク６２に入力された音がデジタル情報に変換される。この変換されたデジタル情報である歌唱音声情報が音響制御部６１に送られる。音響制御部６１は、歌唱音声情報と、ミュージック情報とを合成しスピーカ６３から発生させる音のアナログ信号である合成音信号を生成し、スピーカ６３に送る。スピーカ６３は送られた合成音信号に従って音を発生する。
【００２４】
音響制御部６１は、マイク音量調整部６１１、楽曲再生部６１２、ミュージック音量調整部６１３、デジタルアナログコンバータ（以下、ＤＡＣ）６１４Ａ、ＤＡＣ６１４Ｂ、ミキサ６１５、および、主音量調整部６１６を備える。マイク音量調整部６１１は、マイクから送られた歌唱音声情報が表す音の音量を決定し、音量が決定された歌唱音声情報をＤＡＣ６１４Ａに送る。ＤＡＣ６１４Ａは、デジタル情報である歌唱音声情報をアナログ信号である歌唱音声信号に変換する。ＤＡＣ６１４Ａは、歌唱音声信号をミキサ６１５に送る。楽曲再生部６１２は、制御部１０の指示に従ってミュージック情報を再生する。ミュージック音量調整部６１３は楽曲再生部６１２によって再生されたミュージック情報を受ける。ミュージック音量調整部６１３は、ミュージック情報が表す音の音量を決定し、音量が決定されたミュージック情報をＤＡＣ６１４Ｂに送る。ＤＡＣ６１４Ｂは、デジタル情報であるミュージック情報をアナログ信号であるミュージック信号に変換する。ＤＡＣ６１４Ｂは、ミュージック信号をミキサ６１５に送る。ミキサ６１５は、歌唱音声信号とミュージック信号とを合成し、合成音信号を生成する。主音量調整部６１６は、合成音信号を受け、合成音信号の音量を決定し、スピーカ６３に送る。
【００２５】
通信部７１は、周知の無線ＬＡＮ通信規格に則った無線通信機能を有し、後述のリモコン端末２と、楽曲再生装置１とを通信可能にするための無線通信用モジュールである。一例として、通信部７１はＷｉ−Ｆｉ（登録商標）、Ｂｌｕｅｔｏｏｔｈ（登録商標）、または、赤外線通信用のモジュールなどで構成される。
【００２６】
［１．２、リモコン端末の構成］
リモコン端末２は、楽曲再生装置１の遠隔操作機器であり、カラオケ専用端末であるカラオケナビ２Ａ、リモコンアプリがインストールされリモコン端末として利用可能なスマートフォン２Ｂ、およびカラオケ用リモコン端末２Ｃを含む。本実施形態のカラオケ装置は、これらのリモコン端末２のいずれかまたは、複数を備える。このリモコン端末２は、楽曲再生装置１へのログイン、カラオケサービスに関する情報の検索や閲覧、および演奏音量を変更する操作等を行うことができるように構成されている。
【００２７】
カラオケナビ２Ａを一例として説明する。カラオケナビ２Ａは、制御部２１０、記憶部２３０、操作部２４２、表示部２５２、および通信部２７１を備える。制御部２１０は、記憶部２３０、操作部２４２、表示部２５２、および通信部２７１と接続される。
【００２８】
制御部２１０は、記憶部２３０に記憶されるプログラムを読み出して実行し、楽曲再生装置１に各種指示を送る。記憶部２３０は、制御部２１０が実行するプログラム、及び、表示部２５２に表示させるＧＵＩを記憶する。また、記憶部２３０は、カラオケナビ２Ａと対応付けられた楽曲再生装置１のアドレス情報、および、その楽曲再生装置１を利用しているユーザのログイン情報を記憶する。
【００２９】
操作部２４２は、ユーザからの操作を受け付けるためのタッチパネルや、キー・スイッチ等によって構成される。操作部２４２は受け付けた操作内容を示す指示情報を制御部２１０に送る。制御部２１０はＧＵＩの表示内容を変更する処理、および、操作内容に対応する指示情報を楽曲再生装置１に送る処理を実行する。
【００３０】
表示部２５２は、液晶パネルであってＧＵＩを表示する。本実施形態のカラオケナビ２Ａは、表示部２５２の表面に薄膜状のタッチパネルが表面形状に合わせて張り合わされて構成されており、タッチパネルと対応してＧＵＩを表示する。
【００３１】
表示部２５２に表示されるＧＵＩの一例について、図２を参照して説明する。図２は、音量を変更するためのリモコン機能を実行中の音量変更画面の一例である。表示部２５２は、ユーザについて表示するユーザ表示領域２５２１と、音量に関する情報を表示する音量情報表示領域２５２２と、を有する。リモコン機能を終了し機能一覧などの別の画面に遷移するための戻るボタンに対応するボタン画像２５２０Ａが表示される。
【００３２】
ユーザ表示領域２５２１は、操作ユーザ表示領域２５２１Ａと、ログインユーザ表示領域２５２１Ｂと、ログインボタン表示領域２５２１Ｃと、ゲストボタン表示領域２５２１Ｄとを有する。操作ユーザ表示領域２５２１Ａは、現在リモコン端末２を操作している操作者であるユーザに関する情報を表示する領域である。ログインユーザ表示領域２５２１Ｂは、操作ユーザ以外のログインユーザに関する情報を表示する領域である。ログインユーザ表示領域２５２１Ｂに対応するタッチパネルの領域がユーザによって触れられると、制御部１０は、触れられた領域に表示されていた情報に対応するユーザが操作ユーザであると識別する。制御部１０は操作ユーザを識別すると、操作ユーザ表示領域２５２１Ａの表示を、新たな操作ユーザに関する情報の表示に切り替える。ログインボタン表示領域２５２１Ｃは、楽曲再生装置１にログイン処理を実行させるための操作ボタンの画像を表示する。ログイン処理については後述する。ゲストボタン表示領域２５２１Ｄは、ゲストユーザがリモコン端末２を操作する場合に選択されるゲストボタンの画像を表示する領域である。ゲストユーザは、ユーザを識別するためのユーザ識別情報を所有しないユーザである。
【００３３】
音量情報表示領域２５２２は、第１主音量表示領域２５２３Ａと、第２主音量表示領域２５２３Ｂと、主音量操作領域２５２３Ｃと、第１マイク音量表示領域２５２４Ａと、第２マイク音量表示領域２５２４Ｂと、マイク音量操作領域２５２４Ｃと、第１ミュージック音量表示領域２５２５Ａと、第２ミュージック音量表示領域２５２５Ｂと、ミュージック音量操作領域２５２５Ｃと、を有する。第１主音量表示領域２５２３Ａと、第１マイク音量表示領域２５２４Ａと、第１ミュージック音量表示領域２５２５Ａとは、現在設定されている主音量の値を数字で表示する領域である。これらの領域を区別しない場合、第１表示領域と記載する。一例として音量の値を表す数値は、「０〜６４」とあらかじめ定められ、「０」が最小値であるミュートを表し、「６４」が最大値を表す。
【００３４】
第２主音量表示領域２５２３Ｂと、第２マイク音量表示領域２５２４Ｂと、第２ミュージック音量表示領域２５２５Ｂとは、現在設定されている音量の値をグラフで表示する領域である。これらの領域を区別しない場合、第２表示領域と記載する。グラフは前述の数値に対応して、第２表示領域の左端が最小値である「０」を表し、右端が最大値である「６４」を表している。第２主音量表示領域２５２３Ｂを一例として説明すると、現在設定されている音量の値は３０なので、第２主音量表示領域２５２３Ｂの左端から領域の約半分である「３０／６４」だけ所定の色で塗りつぶされる。
【００３５】
主音量操作領域２５２３Ｃと、マイク音量操作領域２５２４Ｃと、ミュージック音量操作領域２５２５Ｃとは、音量を変更するための音量変更ボタンの画像を表示する領域である。これらの領域を区別しない場合、音量操作領域と記載する。音量変更ボタンの画像としては音量を大きくする「大きく△」と表示されるボタンの画像と、音量を小さくする「▽小さく」と表示されるボタンの画像とがある。音量操作領域の左方に「▽小さく」、右方に「大きく△」と表示される。表示される画像に対応するタッチパネルの領域がユーザによって触れられると、表示される内容と同様に音量が小さく、または大きく変更される。音量が変更されると変更された音量に対応する第１表示領域、および第２表示領域の表示も操作内容に従って変更される。
【００３６】
通信部２７１は、楽曲再生装置１の通信部７１と通信を可能にする周知の無線ＬＡＮ通信規格に則った無線通信機能を有する無線通信モジュールである。
【００３７】
［２、ログイン処理］
ログイン処理は、ユーザを識別する処理である。ログインボタン表示領域２５２１Ｃに対応するタッチパネルがユーザによって触れられたことを表す情報が楽曲再生装置１に送られると、制御部１０は、ログイン処理を実行する。制御部１０は、操作部４２または操作部２４２を介して入力されたユーザ識別情報と、パスワードとが対応付けられて記憶部３０に記憶されているか否かを判断する。ユーザ識別情報およびパスワードが記憶部３０に記憶されている対応関係を満たしていると制御部１０が判断した場合、制御部１０は、入力されたユーザ識別情報をログイン済みユーザ情報として記憶部３０に記憶する。また、ログイン済みユーザ情報がリモコン装置２に送られ、制御部２１０は送られたログイン済みユーザ情報を記憶部２３０に記憶する。このログイン処理により記憶されたログイン済みユーザ情報に従って、後述の音量変更処理の手順が決定される。
【００３８】
［３、音量変更処理］
音量変更処理について図３を参照して説明する。音量変更処理は楽曲再生装置の制御部１０およびリモコン装置の制御部２１０によって実行される。後述するステップＳ１０１からステップＳ１１２の処理は、制御部１０により実行される。後述するステップＳ２０１およびステップＳ２０２の処理は、制御部２１０により実行される。本実施形態において、リモコン装置２の操作部２４２が音量を変更する操作を受け付けた場合、音量変更処理が実行される。
【００３９】
ステップＳ２０１では、指示情報が生成され、生成された指示情報が楽曲再生装置１に送られる。指示情報は受け付けた操作の内容を表す操作情報と、操作者のユーザ識別情報とを含む。操作情報は、音量を変更する操作のうち、主音量、マイク音量、およびミュージック音量のいずれかを特定する操作対象情報と、特定された対象の音量をどれだけ変更するかを表す操作量情報とが含まれた情報である。また、ユーザ識別情報は、現在操作をしている操作者のユーザ識別情報である。指示情報が生成されると、記憶部２３０に記憶される楽曲再生装置１のアドレス情報に従って通信部２７１を介して指示情報が楽曲再生装置１に送られる。指示情報が送られるとステップＳ２０１の処理が終了され、次の操作を受け付ける、又は楽曲再生装置１からの変更完了通知を受け付けるまでリモコン端末２が待機状態にされる。
【００４０】
制御部２１０のステップＳ２０１の処理によりリモコン端末２から送られた指示情報が通信部７１を介して受信されると、制御部１０は、ステップＳ１０１の処理を開始する。
【００４１】
ステップＳ１０１では、楽曲再生装置１がカラオケの楽曲を再生しているか否かが判断される。具体的には、記憶部３０に記憶されるミュージック情報が再生されているか否かが判断される。ミュージック情報が再生されていると判断される場合、ステップＳ１０１の処理はＹＥＳとなり、ステップＳ１０２に処理が移される。ミュージック情報が再生されていない、または、ミュージック情報以外の情報が再生されている場合、ステップＳ１０１の処理はＮＯとなり、ステップＳ１１１に処理が移される。
【００４２】
ステップＳ１０２では、指示情報に含まれるユーザ識別情報が歌唱者を表しているか否かが判断される。具体的には、現在再生されている楽曲を予約する時点において操作者として識別されていたユーザのユーザ識別情報と、指示情報に含まれるユーザ識別情報とが比較される。予約時点の操作者のユーザ識別情報は、予約された楽曲のミュージック情報に対応付けて記憶部３０の予約リストに記憶される。予約時時点の操作者のユーザ識別情報と、指示情報に含まれるユーザ識別情報とが一致する場合、歌唱者による操作を受け付けたと判断され、処理はステップＳ１１１に移される。予約時時点の操作者のユーザ識別情報と、指示情報に含まれるユーザ識別情報とが一致しない場合、歌唱者ではない聴取者による操作を受け付けたと判断され、処理はステップＳ１０３に移される。
【００４３】
ステップＳ１０３では閾値が決定される。具体的に、ステップＳ１０３では、歌唱者に気が付かれないように音量を変更するための弁別閾が閾値として決定される。スピーカ６３から出力される音量である出力音量が弁別閾未満の変更量で決定されるように、各音量調整部に決定させる音量の変更量の最大値が算出される。その算出された最大の変更量が、閾値として決定される。最大の変更量はウェーバーの法則に従って決定される。ウェーバーの法則によると、音量に対する人間の弁別閾は、現在決定されている音量から１０〜８．８％の変更量である。そのため、気が付かれないためには８．８％未満の変更量となるように最大の変更量が算出される。一例として現在の主音量の数値が「３０」に決定されている場合において、出力されている音の大きさが１００ｄＢである場合を例に説明する。現在の音の大きさが１００ｄＢであり、ウェーバーの法則に従って弁別閾を計算すると、弁別閾は１０〜８．８ｄＢであると算出される。弁別閾が算出されると、弁別閾の最小値未満となるように主音量の数値で換算した変更量が決定される。主音量の数値を「１」変化させると、出力音量が１ｄＢ変化するようにあらかじめ設定されている場合、主音量の数値は「８」以下で変更することができる。そのため、閾値は「８」と決定される。閾値が決定されると、処理はステップＳ１０４に移される。
【００４４】
ステップＳ１０４では音量の変更量が閾値を越えるか否かが判断される。具体的には、操作情報に含まれる音量の変更量が、閾値を越えているか否かが判断される。変更量が閾値を越えると判断される場合、処理はステップＳ１０５に移される。変更量が閾値を越えないと判断された場合、処理はステップＳ１０６に移される。
【００４５】
一例として、操作情報が主音量を「４」下げる操作の内容を含んでいる場合、ステップＳ１０３で決定された閾値は「８」なので、閾値を越えないと判断される。また、操作情報が主音量を「１０」下げる操作の内容を含んでいる場合、ステップＳ１０３で決定された閾値は「８」なので、閾値を越えると判断される。
【００４６】
ステップＳ１０５では、音量の変更量が閾値以下の値で決定され、変更情報が生成される。また、操作情報は、決定された音量の変更量に対して変更されない不足の変更量に対応する操作の内容を含む操作情報に更新される。一例として、音量の変更量が閾値の値で決定される。操作情報が主音量を「１０」下げる操作の内容を含んでいる場合、主音量の変更量はステップＳ１０３で決定された閾値の値「８」で決定される。操作情報が含む操作の内容が主音量を「１０」下げる操作の内容に対して、主音量を「８」下げることが決定された。つまり、操作情報が主音量を「１０」下げる操作の内容を含んでいるが、そのうち、主音量を「２」下げる処理が実行されない。そのため、操作情報は主音量を「２」下げる操作の内容を表す操作対象情報と操作量情報とを含む情報に更新される。音量の変更量が決定され、操作情報が更新されると、処理はステップＳ１０７に移される。
【００４７】
ステップＳ１０６では、指示情報に従い音量の変更量が決定され、変更情報が生成される。一例として、操作情報が主音量を「４」下げる操作の内容を含んでいる場合、主音量の変更量は「４」で決定される。音量の変更量が決定されると、主音量を「４」下げる情報を含む変更情報が生成される。変更情報が生成されると、主音量を「４」下げる操作の内容を表す操作対象情報と操作量情報とが操作情報から削除される。変更情報が生成され、操作情報から操作対象情報と操作量情報とが削除されると処理はステップＳ１０７に移される。
【００４８】
ステップＳ１０７では、変更情報に従って音量変更指示が送られる。具体的には、ステップＳ１０５またはステップＳ１０６で決定された変更情報に従って音量変更指示が音量調整部に送られる。一例として、変更情報が、主音量を「８」下げる指示を含んでいる場合、音量を「８」下げるように音量変更指示が主音量調整部６１６に送られる。音量変更指示が音量調整部に送られると、処理はステップＳ１０８に移される。
【００４９】
ステップＳ１０８では、変更完了通知がリモコン端末２に送られる。具体的には、変更情報に従って音量が変更されたことを表す情報を含む変更完了通知がリモコン端末２に送られる。一例として、ステップＳ１０７において、主音量調整部６１６に主音量を「８」下げさせる処理が実行された場合、主音量が「８」下げられたことを表す情報を含む変更完了通知が、楽曲再生装置１に対応付けられたリモコン端末２に送信される。変更完了通知が送信されると、処理はステップＳ１０９に移される。
【００５０】
ステップＳ１０９では、指示情報の指示が完了されたか否かが判断される。具体的には、指示情報に含まれる操作情報が操作対象情報と操作量情報とを含んでいるか否かが判断される。一例として、ステップＳ１０４において閾値を越えると判断された場合、ステップＳ１０５において、操作情報は、主音量を「２」下げる操作の内容を表す操作対象情報と操作量情報とを含む情報に更新された。この場合、操作情報が操作対象情報と操作量情報とを含んでいると判断され、処理はステップＳ１１０に移される。ステップＳ１０４において閾値を越えないと判断された場合、ステップＳ１０６において操作情報が含む主音量を「４」下げる操作の内容を表す操作対象情報と操作量情報とが操作情報から削除された。この場合、操作情報が操作対象情報と操作量情報とを含んでいないと判断され、楽曲再生装置１の処理は終了される。
【００５１】
ステップＳ１１０では、５秒経過したか否かが判断される。具体的には、音量が変更されてから５秒経過したか否かが判断される。つまり、音量が変更されてから５秒経過するまでは、次の音量を変更する処理が実行されない。５秒経過すると処理はステップＳ１０３に移される。
【００５２】
ステップＳ１１１では、指示情報に従って音量変更指示が送られる。具体的には、指示情報に含まれる操作対象情報と操作量情報とに従って音量変更指示が音量調整部に送られる。一例として、操作情報が主音量を「１２」下げる操作の内容を含んでいる場合、音量を「１２」下げるように音量変更指示が主音量調整部６１６に送られる。音量変更指示が送られると、処理はステップＳ１１２に移される。
【００５３】
ステップＳ１１２では、音量が決定された結果を表示させるための指示が送られる。具体的には、音量変更処理において音量を変更した結果がモニタ５２に表示される。一例として、音量変更処理が実行され、主音量の数値が「１８」に決定された場合、主音量が「１８」に決定されたことを表す変更完了情報が映像制御部５１に送られる。変更完了情報が映像制御部５１に送られると、映像制御部５１は主音量が「１８」になったことを表す映像情報をモニタ５２に送る。変更完了情報が映像制御部５１に送られると、楽曲再生装置１の処理は終了される。
【００５４】
ステップＳ２０２では、ステップＳ１０８で楽曲再生装置１から送られた変更完了通知に従って、音量変更の結果が表示部２５２に表示される。具体的には、変更完了通知に従って、表示を変更させる指示が表示部２５２に送られる。表示を変更させる指示が表示部２５２に送られると、リモコン端末２は、次の操作を受け付けるまで待機状態にされる。
【００５５】
一例として、主音量が「８」下げられたことを表す情報を含む変更完了通知が通信部２７１によって受信された場合、主音量に関する表示を変更させる指示が表示部２５２に送られる。主音量に関する表示を変更させる指示が表示部２５２に送られると、図２に示される表示形態の場合、第１主音量表示領域２５２３Ａの表示が、「主音量３０」から「主音量２２」に更新される。また、第２主音量表示領域２５２３Ｂの表示が、左端から「２２／６４」だけ所定の色で塗りつぶされた表示に更新される。第１主音量表示領域２５２３Ａの表示と、第２主音量表示領域２５２３Ｂの表示とが更新される指示が表示部２５２に送られると、ステップＳ２０２の処理が終了され、リモコン端末２は、次の操作を受け付けるまで待機状態にされる。
【００５６】
［本実施形態の効果］
ステップＳ１１０において５秒経過したか否かが判断された。この５秒という期間は、エコイックメモリーという現象と聴覚順応という現象とを考慮して定められる。エコイックメモリーという現象は、人間の聴覚に関する記憶であって、その記憶は５秒程度保持される現象である。つまり、音量を正しく認識できている期間の限界は５秒程度である。さらに、聴覚順応という現象は音に対する慣れであって、音を数秒間聞いていると聴覚が順応し感覚が鈍くなる現象である。つまり、時間が経過するほど音量の変化に対しても気付きにくくなる。５秒間待機することで、聴覚の感覚が鈍くなり、かつ、音量が変更される前の音量の記憶を忘れる最短の期間が確保できる。これにより、最短の期間で歌唱者に気が付かれないように音量を変更することができる。
【００５７】
［第１変形例］
本実施形態の音量変更処理では、ステップＳ１０１からステップＳ１０６、ステップＳ１０９、及びステップＳ１１０の処理が楽曲再生装置１により実行された。しかし、それらのステップの処理はリモコン端末２によって実行されてもよい。一例として、図４を参照してリモコン端末２において処理が実行される場合を説明する。第１変形例のステップＳＡ２０１からステップＳＡ２０９の処理は、制御部２１０により実行される。第１変形例のステップＳＡ１０６からステップＳＡ１１０の処理は、制御部１０により実行される。リモコン装置２の操作部２４２が音量を変更する操作を受け付けた場合、第１変形例の音量変更処理が実行される。
【００５８】
ステップＳＡ２０１では、楽曲が再生されているか否かが判断される。楽曲が再生されているか否かは、楽曲再生装置１の状態を表すステータス情報に従って判断される。ステータス情報は、一例として楽曲再生装置１が楽曲の再生を開始する時点においてリモコン端末２に送られる楽曲再生フラグや、楽曲の再生が終了した時点においてリモコン端末２に送られる曲間フラグなどを表す。楽曲再生装置１から送られた最新のステータス情報が、楽曲再生フラグである場合、楽曲再生装置１において楽曲が再生されていると判断され、処理はステップＳＡ２０２に移される。楽曲再生装置１から送られた最新のステータス情報が、楽曲再生フラグでない場合、楽曲再生装置１において楽曲が再生されていないと判断され、処理はステップＳＡ２０７に移される。
【００５９】
ステップＳＡ２０２では、歌唱者による指示か否かが判断される。リモコン端末２の記憶部２３０は、楽曲再生装置１の記憶部３０に記憶される予約リストと共通の内容を含む予約リストを記憶する。これにより、ステップＳＡ２０２では、記憶部３０に記憶される予約リストを記憶部２３０に記憶される予約リストと読み替えて、制御部２１０によって実施形態のステップＳ１０２と同様の処理が実行されればよい。予約時点の操作者のユーザ識別情報と、指示情報に含まれるユーザ識別情報とが一致する場合、歌唱者による操作を受け付けたと判断され、処理はステップＳＡ２０７に移される。予約時点の操作者のユーザ識別情報と、指示情報に含まれるユーザ識別情報とが一致しない場合、歌唱者ではない聴取者による操作を受け付けたと判断され、処理はステップＳＡ２０３に移される。
【００６０】
ステップＳＡ２０３およびステップＳＡ２０４では、実施形態のステップＳ１０３およびステップＳ１０４と同様の処理が制御部２１０のよって実行されればよい。ステップＳＡ２０４において、変更量が閾値を越えると判断される場合、処理はステップＳＡ２０５に移される。変更量が閾値を越えないと判断される場合、処理はステップＳＡ２０６に移される。
【００６１】
ステップＳＡ２０５では、指示情報が生成され、楽曲再生装置１に送信される。具体的には、音量の変更量が閾値より小さく決定された操作情報と、モニタ５２に音量の変更結果を表示させないことを表す情報とを含む指示情報が生成される。指示情報が生成されると、記憶部２３０に記憶される楽曲再生装置１のアドレス情報に従って通信部２７１を介して指示情報が楽曲再生装置１に送られる。指示情報が送られると処理はステップＳＡ２０９に移される。
【００６２】
ステップＳＡ２０９では、実施形態におけるステップＳ１１０と同様の処理が制御部２１０により実行される。５秒経過すると処理はステップＳＡ２０３に移される。
【００６３】
ステップＳＡ２０６では、指示情報が生成され、楽曲再生装置１に送信される。ステップＳＡ２０６では、ステップＳＡ２０５と同じ処理が実行されるため、処理の説明は省略する。指示情報が送られると、ステップＳＡ２０６の処理は終了され、次の操作を受け付ける、又は楽曲再生装置１からの変更完了通知を受け付けるまでリモコン端末２は待機状態にされる。
【００６４】
ステップＳＡ２０７では、指示情報が生成され、楽曲再生装置１に送信される。具体的には、操作部２４２が受け付けた操作の内容を表す操作情報と、モニタ５２に音量の変更結果を表示させることを表す情報とを含む指示情報が生成される。指示情報が生成されると、記憶部２３０に記憶される楽曲再生装置１のアドレス情報に従って通信部２７１を介して指示情報が楽曲再生装置１に送られる。指示情報が送られると、ステップＳＡ２０７の処理は終了され、次の操作を受け付ける、又は楽曲再生装置１からの変更完了通知を受け付けるまでリモコン端末２は待機状態にされる。
【００６５】
ステップＳＡ１０６では、指示情報に含まれる情報に従って、モニタ５２に音量の変更結果を表示させるか否かが判断される。音量変更結果を表示させることを表す情報が指示情報に含まれている場合、処理はステップＳＡ１０９に移される。音量変更結果を表示させないことを表す情報が指示情報に含まれている場合、処理はステップＳＡ１０７に移される。
【００６６】
ステップＳＡ１０７では、操作情報に従って音量変更指示が送られる。ステップＳＡ１０７では、実施形態におけるステップＳ１１１と同様の処理が実行されるため、処理の説明は省略する。音量変更指示が音量調整部に送られると、処理はステップＳＡ１０８に移される。
【００６７】
ステップＳＡ１０８では、変更完了通知がリモコン端末２に送られる。ステップＳＡ１０８では、実施形態におけるステップＳ１０８と同様の処理が実行されるため、処理の説明は省略する。変更完了通知がリモコン端末２に送られると、楽曲再生装置１の処理は終了される。
【００６８】
ステップＳＡ１０９では、操作情報に従って音量変更指示が送られる。ステップＳＡ１０９では、実施形態におけるステップＳ１１１と同様の処理が実行されるため、処理の説明は省略する。音量変更指示が音量調整部に送られると、処理はステップＳＡ１１０に移される。
【００６９】
ステップＳＡ１１０では、音量が決定された結果を表示させるための指示が送られる。ステップＳＡ１１０では、実施形態におけるステップＳ１１２と同様の処理が実行されるため、処理の説明は省略する。変更完了情報が映像制御部５１に送られると、楽曲再生装置１の処理は終了される。
【００７０】
ステップＳＡ２０８では、変更完了通知に従って、音量変更の結果が表示される。ステップＳＡ２０８では、実施形態におけるステップＳ２０２と同様の処理が実行されるため、処理の説明は省略する。変更完了通知に従って、表示を変更させる指示が表示部２５２に送られると、ステップＳＡ２０２の処理が終了され、リモコン端末２は、次の操作を受け付けるまで待機状態にされる。
【００７１】
［第２変形例］
本実施形態において、リモコン端末２の操作部２４２がユーザの操作を受け付けたが、楽曲再生装置１の操作部４２がユーザの操作を受け付けてもよい。操作部４２がユーザの操作を受け付けた場合、図３に示されるシーケンスのうち、制御部２１０で実行されるステップＳ２０１の処理が制御部１０により実行されればよい。
【００７２】
［第３変形例］
本実施形態において、ステップＳ１０１では楽曲再生装置１が楽曲を再生しているか否かが判断された。しかし、楽曲ではなく、録画された歌唱映像を再生中か否かを判断してもよい。その場合、ステップＳ１０２において実行される歌唱者による指示か否かの判断は、歌唱映像の再生を指示する操作を実行した時点の操作者と現在の操作者とが同一であるか否かが判断されればよい。同一であるか否かは、再生を指示する操作を実行した時点の操作者のユーザ識別情報と、現在の操作者のユーザ識別情報とが一致するか否かによって判断される。ユーザ識別情報が一致する場合、ステップＳ１０２はＹＥＳとなり、一致しない場合、ステップＳ１０２はＮＯとなる。歌唱映像の再生のみでなく、カラオケ装置が備えるゲーム機能の実行なども同様の処理により判断されればよい。また、楽曲、ユーザの歌唱状態を録音および録画した歌唱映像、および映像と効果音とによって実行されるゲームなどに関連して、少なくともユーザが聴覚により認識することができる情報であって、カラオケ装置が再生することができる情報を総称してコンテンツとする。
【００７３】
［第４変形例］
本実施形態において、ステップＳ１０３からステップＳ１１０までの処理が実行されることで、音量の変更量を複数回に分け、分けられた変更量で間隔を置いて音量を変更した。具体的に実施形態においては、操作情報が主音量を「１０」下げる操作の内容を含んでいる場合、ステップＳ１０５において、主音量の変更量はステップＳ１０３で決定された閾値の値「８」で決定され、操作情報は主音量を「２」下げる操作の内容を表す操作対象情報と操作量情報とを含む情報に更新された。つまり、主音量を「８」下げる処理が実行された後、主音量を「２」下げる処理が実行される。しかし、ステップＳ１０５で決定される変更量は閾値以下であればよいため、閾値以下の「１」で主音量を下げる処理が８回連続で実行され、間隔を置いて閾値以下の「１」で主音量を下げる処理が２回連続で実行されてもよい。この場合、制御部１０は、変更量が閾値に到達するまで連続して音量を変更する指示を音量調整部に送り、閾値に到達した時点で間隔を置けばよい。また、本実施形態では、音量の変更量が分けられる回数、および、分けられる変更量は、音量の変更量とステップＳ１０３で決定された閾値の値とに基づいて定められるが、分けられる回数が予め定められる回数であってもよいし、分けられる変更量がほぼ同じ変更量になるように、分けられる回数が決定されてもよい。
【００７４】
［第５変形例］
本実施形態では、ステップＳ１１０において５秒経過したか否かが判断された。この５秒という期間は、エコイックメモリーという現象と聴覚順応という現象とを考慮して定められる。しかし、ステップＳ１１０における所定の時間は、エコイックメモリーという現象、および聴覚順応という現象の他に、別の要因を考慮して定められてもよい。たとえば、別の要因として、演奏される曲調、およびテンポなどの楽曲の特性に関連する要因が考えられる。
【００７５】
［第６変形例］
本実施形態のステップＳ１０３では、音量に対する人間の弁別閾は、現在決定されている音量から１０〜８．８％の変更量であることを利用して、変更量の閾値が決定された。
そのため、より気が付きにくいように、現在決定されている音量から８．８％未満の変更量と成るように閾値が決定された。しかし、この１０％〜８．８％の数値は、音量変化、および音高の変化を伴わない場合に対する弁別式であるため、楽曲のように音量が上下し、音高が時々刻々と変化する場合においては、１０％程度であってもよい。
【００７６】
［特許請求の範囲と実施形態の記載との対応関係］
マイク音量調整部６１１、ミュージック音量調整部６１３、および主音量調整部６１６が、本発明の音量決定手段の一例である。モニタ５２が、本発明の第１表示手段の一例である。操作部４２または操作部２４２が、本発明の第１操作受付手段の一例である。制御部１０が、本発明の制御手段の一例である。実施形態のステップＳ１０２の処理が、本発明の第１処理の一例である。実施形態のステップＳ１０２の処理がＮＯとなる場合が、本発明の第２処理の一例である。実施形態のステップＳ１０３〜ステップＳ１１０の処理が、本発明の第３処理の一例である。リモコン端末２が、本発明のリモコン端末の一例である。操作部２４２が、本発明の第２操作受付手段の一例である。表示部２５２が、本発明の第２表示手段の一例である。通信部２７１が、本発明の第２通信手段の一例である。制御部２１０が、本発明の端末制御手段の一例である。通信部７１が、本発明の第１通信手段の一例である。実施形態のステップＳ１０２の処理が、本発明の第４処理の一例である。実施形態のステップＳ１０８の処理が、本発明の第５処理の一例である。実施形態のステップＳ２０２の処理が、本発明の第６処理の一例である。実施形態のステップＳ１０３およびステップＳ１０４の処理が、本発明の第７処理の一例である。実施形態のステップＳ１０５およびステップＳ１０７の処理が、本発明の第８処理の一例である。
【符号の説明】
【００７７】
１  カラオケ装置
２  リモコン端末
１０  制御部（楽曲再生装置）
４２  操作部
６１  音響制御部
６２  歌唱用マイク
６３  スピーカ
６１０  マイク音量調整部
６１２  楽曲再生部
６１３  ミュージック音量調整部
６１４  ＤＡＣ
６１５  ミキサ
６１６  主音量調整部
２１０  制御部（リモコン端末）
２５２  表示部（リモコン端末）
２５２１  ユーザ表示領域
２５２２  音量情報表示領域
【図１】
0006651926.tif 000002
【図２】
0006651926.tif 000003
【図３】
0006651926.tif 000004
【図４】
0006651926.tif 000005